(57)【要約】      （修正有）【課題】テレビ放送やラジオ放送などの音声を含むコンテンツの提供に重畳して、クーポンを構成するための情報を超音波により送出する、超音波を用いた情報発出システムを提供する。【解決手段】超音波信号発生情報と非超音波信号のコンテンツ信号からなる複合信号を受信する複合信号受信部と、コンテンツ信号再生部と、超音波信号発生情報に基づいて超音波信号を再生する超音波信号再生部と、を有するコンテンツ再生装置と、時間情報取得部と、超音波信号受信部と、受信した超音波信号を情報に復号化して復号化情報を取得する第一情報取得部と、取得した復号化情報と、取得した時間情報とを関連付けて保持する復号化情報保持部と、保持されている復号化情報を関連付けられている時間情報と共に出力する時間付復号化情報出力部と、を有する携帯型電子機器とからなる。【選択図】図１
2018182585.tif 000002
【特許請求の範囲】
【請求項１】
超音波信号発生情報と非超音波信号のコンテンツ信号からなる複合信号を受信する複合信号受信部と、
コンテンツ信号を再生するコンテンツ信号再生部と、
超音波信号発生情報に基づいて超音波信号を再生する超音波信号再生部と、
を有するコンテンツ再生装置と、
時間情報を取得する時間情報取得部と、
再生される超音波信号を受信する超音波信号受信部と、
受信した超音波信号を情報に復号化して復号化情報を取得する第一情報取得部と、
取得した復号化情報と、取得した時間情報とを関連付けて保持する復号化情報保持部と、
保持されている復号化情報を関連付けられている時間情報とともに出力する時間付復号化情報出力部と、
を有する携帯型電子機器と、
からなる超音波を用いた情報発出システム。
【請求項２】
前記超音波信号はコード情報の生成用のコード情報生成信号であり、
前記時間付復号化情報出力部は、復号化情報として第一コード情報を出力する第一コード情報出力手段を有する請求項１に記載の超音波を用いた情報発出システム。
【請求項３】
前記時間付復号化情報出力部は、
復号化情報と関連付けられている時間情報として第二コード情報を出力する第二コード情報出力手段を有する請求項１又は請求項２に記載の超音波を用いた情報発出システム。
【請求項４】
復号化情報を識別する復号化情報識別情報と、復号化情報識別情報に関連付けた時間情報と、を認証のために保持する認証用復号化情報保持部と、
復号化情報と関連付けられている時間情報とを携帯型電子機器から取得する復号化情報取得部と、
取得した復号化情報を識別する復号化情報識別情報に関連付けて保持されている時間情報と、取得した復号化情報に関連付けて取得した時間情報とを比較する時間情報比較部と、
時間情報比較部での比較結果を出力する比較結果出力部と、
からなる認証装置をさらに有する請求項１から請求項３のいずれか一に記載の超音波を用いた情報発出システム。
【請求項５】
コンテンツ再生装置は、テレビ機能を有する装置、ラジオ機能を有する装置、録画再生装置、録音再生装置、調理器具、空調器具、照明器具、洗濯機、冷蔵庫、掃除機、アロマディフューザー、のいずれかである請求項１から請求項４のいずれか一に記載の超音波を用いた情報発出システム。
【請求項６】
コンテンツ再生装置は、
超音波信号を受信する超音波信号受信部と、
受信した超音波信号を情報に復号化して復号化情報を取得する第二情報取得部と、
取得した復号化情報に基づいて直接又は間接に超音波信号再生部を制御する超音波信号再生制御部と、
を有し、
携帯型電子機器は、
第三情報取得部と、
第三情報取得部にて取得した情報を超音波信号に変換する変換部と、
変換して得られた超音波信号を出力する超音波信号出力部と、
を有する請求項１から請求項５のいずれか一に記載の超音波を用いた情報発出システム。
【請求項７】
前記コード情報は、二次元コード情報、バーコード情報、三次元コード情報のいずれか一以上である請求項１から請求項６のいずれか一に記載の超音波を用いた情報発出システム。
【請求項８】
請求項１から請求項７のいずれか一に記載の情報発出システムを構成する携帯型電子機器。
【請求項９】
超音波信号発生情報と非超音波信号のコンテンツ信号からなる複合信号を受信する複合信号受信ステップと、
コンテンツ信号を再生するコンテンツ信号再生ステップと、
超音波信号発生情報に基づいて超音波信号を再生する超音波信号再生ステップと、
を有するコンテンツ再生装置の動作方法と、
時間情報を取得する時間情報取得ステップと、
再生される超音波信号を受信する超音波信号受信ステップと、
受信した超音波信号を情報に復号化して復号化情報を取得する第一情報取得ステップと、
取得した復号化情報と、取得した時間情報とを関連付けて保持する復号化情報保持ステップと、
保持されている復号化情報を関連付けられている時間情報とともに出力する時間付復号化情報出力ステップと、
を有する携帯型電子機器の動作方法と、
からなる超音波を用いた情報発出システムの動作方法。
【請求項１０】
超音波信号発生情報と非超音波信号のコンテンツ信号からなる複合信号を受信する複合信号受信ステップと、
コンテンツ信号を再生するコンテンツ信号再生ステップと、
超音波信号発生情報に基づいて超音波信号を再生する超音波信号再生ステップと、
を有するコンピュータでああるコンテンツ再生装置に読み取り実行可能な動作プログラムと、
時間情報を取得する時間情報取得ステップと、
再生される超音波信号を受信する超音波信号受信ステップと、
受信した超音波信号を情報に復号化して復号化情報を取得する第一情報取得ステップと、
取得した復号化情報と、取得した時間情報とを関連付けて保持する復号化情報保持ステップと、
保持されている復号化情報を関連付けられている時間情報とともに出力する時間付復号化情報出力ステップと、
を有するコンピュータである携帯型電子機器に読み取り実行可能な動作プログラムと、
からなる超音波を用いた情報発出システムの動作プログラム。
【請求項１１】
超音波信号発生情報と非超音波信号のコンテンツ信号からなる複合信号を受信する複合信号受信ステップと、
コンテンツ信号を再生するコンテンツ信号再生ステップと、
超音波信号発生情報に基づいて超音波信号を再生する超音波信号再生ステップと、
を有するコンテンツ再生装置の動作方法に対応した、
時間情報を取得する時間情報取得ステップと、
再生される超音波信号を受信する超音波信号受信ステップと、
受信した超音波信号を情報に復号化して復号化情報を取得する第一情報取得ステップと、
取得した復号化情報と、取得した時間情報とを関連付けて保持する復号化情報保持ステップと、
保持されている復号化情報を関連付けられている時間情報とともに出力する時間付復号化情報出力ステップと、
を有する携帯型電子機器の動作方法。
【請求項１２】
超音波信号発生情報と非超音波信号のコンテンツ信号からなる複合信号を受信する複合信号受信ステップと、
コンテンツ信号を再生するコンテンツ信号再生ステップと、
超音波信号発生情報に基づいて超音波信号を再生する超音波信号再生ステップと、
を有するコンピュータでああるコンテンツ再生装置に読み取り実行可能な動作プログラムに対応して、
時間情報を取得する時間情報取得ステップと、
再生される超音波信号を受信する超音波信号受信ステップと、
受信した超音波信号を情報に復号化して復号化情報を取得する第一情報取得ステップと、
取得した復号化情報と、取得した時間情報とを関連付けて保持する復号化情報保持ステップと、
保持されている復号化情報を関連付けられている時間情報とともに出力する時間付復号化情報出力ステップと、
を有するコンピュータである携帯型電子機器に読み取り実行可能な動作プログラム。
【発明の詳細な説明】
【技術分野】
【０００１】
本発明は、超音波を用いた情報発出システムに関し、テレビ放送やラジオ放送などの音声を含むコンテンツの提供に重畳して、クーポンなどを構成するための情報を超音波により送出する超音波を用いた情報発出システムに関する。
【背景技術】
【０００２】
従来、テレビ放送やラジオ放送などの音声を含むコンテンツの提供に重畳して、クーポンを構成するための情報を音波により送出する技術を利用したO2O（Online−to−Offline）型サービスが知られている。
【０００３】
例えば、テレビ放送を中心に、O2O型サービスとして音波を使った広告・情報配信が普及し始めている。O2Oサービスでは、TVの視聴者に有益なサービス情報（クーポン情報）をオーディオ信号に変換し、これを番組放送の音声信号に重畳することでスピーカーから音波として出力する。視聴者は、スマートフォン等の端末マイクにより前記音波を受信し、その中からクーポン情報を抽出して利用する。
【０００４】
このようなO2O型サービスでは、受信側はマイクを音源にかざす操作のみを行えば良く、QRコード（登録商標）のようなスキャン操作の手間や、NFCのようなリーダ／ライタ装置が不要となる。このため、O2O型サービスは簡易な広告・情報配信の手段として期待される。
【０００５】
一方、従来の番組放送の音声に重畳した音波通信技術としては、まず、送信側では送りたいデータを変調後、D/A（ディジタル／アナログ）変換により非可聴領域もしくは可聴領域の周波数帯域にて音波を送信する。
【０００６】
受信機側では、マイクで集音し、A/D（アナログ／ディジタル）変換後、復調してデータを取得する。ここで、送受信するデータはクーポンIDとし、クーポン配信サーバにてクーポンIDをクーポン情報へ変換することで所望の広告・情報を表示する。
【０００７】
このような番組放送の音声信号を再生した音波からクーポン情報を取得する情報端末装置としては、例えば特開２０１６−１０１０１号公報（特許文献１）が挙げられる。
【先行技術文献】
【特許文献】
【０００８】
【特許文献１】特開２０１６−１０１０１号公報
【発明の概要】
【発明が解決しようとする課題】
【０００９】
上記特許文献１では、番組放送の音声信号に非可聴の高周波音波Ｐによるクーポン情報が重畳して送出され、これを受信した端末はクーポンを取得することができるという技術については開示されているが、クーポン情報の受信時が、番組放送時か録画された放送の再生時かの判別についての示唆や開示はない。従って、実際は番組放送を視聴していない場合でもクーポン情報を取得して利用できてしまうという課題があった。録画の場合にはスポンサーが視聴してほしいコマーシャルなどを早送りするなどの視聴が可能なのでコマーシャルを視聴した視聴者のみにクーポンを発行したい場合に不都合であった。
【００１０】
本発明の目的は、テレビ放送やラジオ放送などの音声を含むコンテンツの提供に重畳して、クーポンを構成するための情報を超音波により送出するシステムにおいて、クーポン情報の受信時が、番組放送時か録画された放送の再生時かの判別可能な超音波を用いた情報発出システムを提供することにある。
【課題を解決するための手段】
【００１１】
上記課題を解決するために本発明において、以下の超音波を用いた情報発出システムを提供する。すなわち、第一の発明として、超音波信号発生情報と非超音波信号のコンテンツ信号からなる複合信号を受信する複合信号受信部と、コンテンツ信号を再生するコンテンツ信号再生部と、超音波信号発生情報に基づいて超音波信号を再生する超音波信号再生部と、を有するコンテンツ再生装置と、時間情報を出力する時間情報取得部と、再生される超音波信号を受信する超音波信号受信部と、受信した超音波信号を情報に復号化して復号化情報を取得する第一情報取得部と、取得した復号化情報と、出力されている時間情報とを関連付けて保持する復号化情報保持部と、保持されている復号化情報を関連付けられている時間情報とともに出力する時間付復号化情報出力部と、を有する携帯型電子機器と、からなる超音波を用いた情報発出システム（請求項１対応）。
【００１２】
前記特徴に加え、前記超音波信号はコード情報の生成用のコード情報生成信号であり、前記時間付復号化情報出力部は、復号化情報として第一コード情報を出力する第一コード情報出力手段を有する（請求項２対応）。
【００１３】
前記特徴に加え、前記時間付復号化情報出力部は、復号化情報と関連付けられている時間情報として第二コード情報を出力する第二コード情報出力手段を有する（請求項３対応）。
【００１４】
前記特徴に加え、復号化情報を識別する復号化情報識別情報と、復号化情報識別情報に関連付けた時間情報と、を認証のために保持する認証用復号化情報保持部と、復号化情報と関連付けられている時間情報とを携帯型電子機器から取得する復号化情報取得部と、取得した復号化情報を識別する復号化情報識別情報に関連付けて保持されている時間情報と取得した復号化情報に関連付けて取得した時間情報とを比較する時間情報比較部と、時間情報比較部での比較結果を出力する比較結果出力部と、からなる認証装置をさらに有する（請求項４対応）。
【００１５】
前記特徴に加え、コンテンツ再生装置は、テレビ機能を有する装置、ラジオ機能を有する装置、録画再生装置、録音再生装置、調理器具、空調器具、照明器具、洗濯機、冷蔵庫、掃除機、アロマディフューザー、のいずれかである（請求項５対応）。
【００１６】
前記特徴に加え、コンテンツ再生装置は、超音波信号を受信する超音波信号受信部と、受信した超音波信号を情報に復号化して復号化情報を取得する第二情報取得部と、取得した復号化情報に基づいて直接又は間接に超音波信号再生部を制御する超音波信号再生制御部と、を有し、携帯型電子機器は、第三情報取得部と、取得した情報を超音波信号に変換する変換部と、変換して得られた超音波信号を出力する超音波信号出力部と、を有する（請求項６対応）。
【００１７】
前記特徴に加え、前記コード情報は、二次元コード情報、バーコード情報、三次元コード情報のいずれか一以上である（請求項７対応）。
【００１８】
前記特徴に加え、前記情報発出システムを構成する携帯型電子機器（請求項８対応）。
【００１９】
第二の発明として、超音波信号発生情報と非超音波信号のコンテンツ信号からなる複合信号を受信する複合信号受信ステップと、コンテンツ信号を再生するコンテンツ信号再生ステップと、超音波信号発生情報に基づいて超音波信号を再生する超音波信号再生ステップと、を有するコンテンツ再生装置の動作方法と、時間情報を取得する時間情報取得ステップと、再生される超音波信号を受信する超音波信号受信ステップと、受信した超音波信号を情報に復号化して復号化情報を取得する第一情報取得ステップと、取得した復号化情報と、取得した時間情報とを関連付けて保持する復号化情報保持ステップと、保持されている復号化情報を関連付けられている時間情報とともに出力する時間付復号化情報出力ステップと、を有する携帯型電子機器の動作方法と、からなる超音波を用いた情報発出システムの動作方法（請求項９対応）。
【００２０】
第三の発明として、超音波信号発生情報と非超音波信号のコンテンツ信号からなる複合信号を受信する複合信号受信ステップと、コンテンツ信号を再生するコンテンツ信号再生ステップと、超音波信号発生情報に基づいて超音波信号を再生する超音波信号再生ステップと、を有するコンピュータでああるコンテンツ再生装置に読み取り実行可能な動作プログラムと、時間情報を取得する時間情報取得ステップと、再生される超音波信号を受信する超音波信号受信ステップと、受信した超音波信号を情報に復号化して復号化情報を取得する第一情報取得ステップと、取得した復号化情報と、取得した時間情報とを関連付けて保持する復号化情報保持ステップと、保持されている復号化情報を関連付けられている時間情報とともに出力する時間付復号化情報出力ステップと、を有するコンピュータである携帯型電子機器に読み取り実行可能な動作プログラムと、からなる超音波を用いた情報発出システムの動作プログラム（請求項１０対応）。
【００２１】
第四の発明として、超音波信号発生情報と非超音波信号のコンテンツ信号からなる複合信号を受信する複合信号受信ステップと、コンテンツ信号を再生するコンテンツ信号再生ステップと、超音波信号発生情報に基づいて超音波信号を再生する超音波信号再生ステップと、を有するコンテンツ再生装置の動作方法に対応した、時間情報を取得する時間情報取得ステップと、再生される超音波信号を受信する超音波信号受信ステップと、受信した超音波信号を情報に復号化して復号化情報を取得する第一情報取得ステップと、取得した復号化情報と、取得した時間情報とを関連付けて保持する復号化情報保持ステップと、保持されている復号化情報を関連付けられている時間情報とともに出力する時間付復号化情報出力ステップと、を有する携帯型電子機器の動作方法（請求項１１対応）。
【００２２】
第五の発明として、超音波信号発生情報と非超音波信号のコンテンツ信号からなる複合信号を受信する複合信号受信ステップと、コンテンツ信号を再生するコンテンツ信号再生ステップと、超音波信号発生情報に基づいて超音波信号を再生する超音波信号再生ステップと、を有するコンピュータでああるコンテンツ再生装置に読み取り実行可能な動作プログラムに対応して、時間情報を取得する時間情報取得ステップと、再生される超音波信号を受信する超音波信号受信ステップと、受信した超音波信号を情報に復号化して復号化情報を取得する第一情報取得ステップと、取得した復号化情報と、取得した時間情報とを関連付けて保持する復号化情報保持ステップと、保持されている復号化情報を関連付けられている時間情報とともに出力する時間付復号化情報出力ステップと、を有するコンピュータである携帯型電子機器に読み取り実行可能な動作プログラム（請求項１２対応）。
【発明の効果】
【００２３】
上述した構成によれば、テレビ放送やラジオ放送などの音声を含むコンテンツの提供に重畳して、クーポンを構成するための情報を超音波により送出するシステムにおいて、クーポン情報の受信時が、番組放送時か録画された放送の再生時かの判別可能な超音波を用いた情報発出システムを提供できる。これによって録画された番組でコマーシャルの早送り等をしていない視聴スタイルの視聴者に対してのみクーポンを付与するような選別性のあるクーポン付与が可能となる。
【図面の簡単な説明】
【００２４】
【図１】実施形態１の超音波を用いた情報発出システムの機能ブロック図
【図２】実施形態１の超音波を用いた情報発出システムにおけるコンテンツ再生装置のハードウェア構成の一例を示す図
【図３】実施形態１の超音波を用いた情報発出システムにおける携帯型電子機器のハードウェア構成の一例を示す図
【図４】実施形態１の超音波を用いた情報発出システムの処理フローチャート
【図５】実施形態２の超音波を用いた情報発出システムの機能ブロック図
【図６】実施形態２の超音波を用いた情報発出システムにおける携帯型電子機器のハードウェア構成の一例を示す図
【図７】実施形態２の超音波を用いた情報発出システムの処理フローチャート
【図８】実施形態３の超音波を用いた情報発出システムの機能ブロック図
【図９】実施形態３の超音波を用いた情報発出システムにおける携帯型電子機器のハードウェア構成の一例を示す図
【図１０】実施形態３の超音波を用いた情報発出システムの処理フローチャート
【図１１】実施形態４の超音波を用いた情報発出システムの機能ブロック図
【図１２】実施形態４の超音波を用いた情報発出システムにおける携帯型電子機器のハードウェア構成の一例を示す図
【図１３】実施形態４の超音波を用いた情報発出システムの処理フローチャート
【図１４】実施形態５の超音波を用いた情報発出システムにおけるコンテンツ再生装置（テレビ）の他の一例を示す図
【図１５】実施形態５の超音波を用いた情報発出システムにおけるコンテンツ再生装置（ＣＤラジカセ）の他の一例を示す図
【図１６】実施形態５の超音波を用いた情報発出システムにおけるコンテンツ再生装置（ＤＶＤ録画再生装置）の他の一例を示す図
【図１７】実施形態５の超音波を用いた情報発出システムにおけるコンテンツ再生装置（調理器具）の他の一例を示す図
【図１８】実施形態５の超音波を用いた情報発出システムにおけるコンテンツ再生装置（エアコン）の他の一例を示す図
【図１９】実施形態５の超音波を用いた情報発出システムにおけるコンテンツ再生装置（照明装置）の他の一例を示す図
【図２０】実施形態５の超音波を用いた情報発出システムにおけるコンテンツ再生装置（洗濯機）の他の一例を示す図
【図２１】実施形態５の超音波を用いた情報発出システムにおけるコンテンツ再生装置（冷蔵庫）の他の一例を示す図
【図２２】実施形態５の超音波を用いた情報発出システムにおけるコンテンツ再生装置（掃除機）の他の一例を示す図
【図２３】実施形態５の超音波を用いた情報発出システムにおけるコンテンツ再生装置（アロマディフューザー）の他の一例を示す図
【図２４】実施形態６の超音波を用いた情報発出システムの機能ブロック図
【図２５】実施形態６の超音波を用いた情報発出システムにおけるコンテンツ再生装置のハードウェア構成の一例を示す図
【図２６】実施形態６の超音波を用いた情報発出システムにおける携帯型電子機器のハードウェア構成の一例を示す図
【図２７】実施形態６の超音波を用いた情報発出システムの処理フローチャート
【図２８】実施形態７の超音波を用いた情報発出システムにおける携帯型電子機器（バーコードリーダ）の一例を示す図
【図２９】実施形態７におけるバーコード情報の一例を示す図
【図３０】携帯端末のバーコード読み取り機能を説明するための図  ０１００、０５００、２４００、２８００  コンテンツ再生装置  ０１０１、０５０１、２４０１  複合信号受信部  ０１０２、０５０２、２４０２  コンテンツ信号再生部  ０１０３、０５０３、２４０３  超音波信号再生部  ０１０５、０５０５、２４１０  携帯型電子機器  ２８０１  バーコードリーダ  ０１０６、０５０６、２４１１  超音波信号受信部  ０１０７、０５０７、２４１２  第一情報取得部  ０１０８、０５０８、２４１３  時間情報取得部  ０１０９、０５０９、２４１４  復号化情報保持部  ０１１０、０５１０、２４１５  時間付復号化情報出力部  ０５１１  第一コード情報出力手段  ０８１１  第二コード情報出力手段  １０２０  認証装置  １０２１  認証用復号化情報保持部  １０２２  復号化情報取得部  １０２３  時間情報比較部  １０２４  比較結果出力部  ２４０４  超音波信号受信部  ２４０５  第二情報取得部  ２４０６  超音波信号再生制御部  ２４１６  第三情報取得部  ２４１７  変換部  ２４１８  超音波信号出力部  ０２０１、０３０１、０６０１  ＣＰＵ  ０２０２、０３０２、０６０２  不揮発性メモリ  ０２０３、０３０３、０６０３  主メモリ  ０２０４、０３０４、０６０４  インターフェース  ０２０５、０３０５、０６０５  超音波インターフェース  ０２０６、０３０６、０６０６  ディスプレイインターフェース  ０２０７、０３０７、０６０７  スピーカーインターフェース  ０４０１、０７０１  複合信号受信ステップ  ０４０２、０７０２  コンテンツ信号再生ステップ  ０４０３、０７０３  超音波信号再生ステップ  ０４１１、０７１１  時間情報取得ステップ  ０４１２、０７１２  超音波信号受信ステップ  ０４１３、０７１３  復号化情報取得ステップ  ０４１４、０７１４  復号化情報保持ステップ  ０４１５、０７１５  時間付復号化情報出力ステップ  ０７１６  第一コード情報出力サブステップ  １０１６  第二コード情報出力サブステップ  １３２１  認証用復号化情報保持ステップ  １３２２  復号化情報取得ステップ  １３２３  時間情報比較ステップ  １３２４  比較結果出力ステップ  ２７０１  第三情報取得ステップ  ２７０２  変換ステップ  ２７０３  超音波信号出力ステップ  ２７０４  超音波信号受信判断ステップ  ２７０５  超音波信号受信ステップ  ２７０６  第二情報取得ステップ  ２７０７  超音波信号再生制御ステップ  ２７０８  超音波信号再生ステップ
【発明を実施するための形態】
【００２５】
以下に、図を用いて本発明の実施の形態を説明する。なお、本発明はこれら実施の形態に何ら限定されるものではなく、その要旨を逸脱しない範囲において、種々なる態様で実施しうる。
【００２６】
なお、以下に記載する本装置の機能ブロックは、ハードウェア及びソフトウェアの組み合わせとして実現され得る。具体的には、コンピュータを利用するものであれば、ＣＰＵ（中央演算装置）や主メモリ、システムバス、あるいは二次記憶装置（ハードディスクドライブや不揮発性メモリ、ＣＤやＤＶＤなどの記憶メディアとそれらメディアの読取ドライブなど）、情報入力に利用される入力デバイス、表示装置、その他の外部周辺装置などのハードウェア構成部、例えば超音波マイクや超音波スピーカーを備えたバーコードリーダ、またその外部周辺装置用のインターフェース、通信用インターフェース、超音波インターフェース、スピーカーインターフェース、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本装置の機能ブロックは専用ハードウェアによって実現されてもよい。また、本装置は一つのハードウェアやソフトウェアにより構成される場合に限られず、複数のハードウェアやソフトウェアの組み合わせによって構成されてもよく、ネットワークを介在したサーバ装置を含んで構成されてもよい。
【００２７】
また、この発明は装置として実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
＜実施形態1＞
＜概要＞
【００２８】
コンテンツ再生装置から出力される超音波信号を情報として利用可能とする場合に、コンテンツ再生装置が生の番組などのコンテンツが再生された際の超音波信号に基づく復号化情報であるか、録画された番組などのコンテンツが再生された際の超音波信号に基づく復号化情報であるか、を識別するシステムに関する。
＜実施形態１  構成＞
【００２９】
実施形態１の情報発出システムは、複合信号受信部と、コンテンツ信号再生部と、超音波信号再生部と、を有するコンテンツ再生装置と、時間情報取得部と、超音波信号受信部と、第一情報取得部と、復号化情報保持部と、時間付復号化情報出力部と、を有する携帯型電子機器と、からなる。
＜実施形態１  構成の説明＞
＜実施形態１  コンテンツ再生装置＞
【００３０】
本実施形態のコンテンツ再生装置は、例えば、図１４から図２３に挙げたような電子機器が該当し、必ずしもテレビやラジオに限定されるものでない。一例を挙げると、テレビ、ラジオ、録画機器、電子レンジ、エアコン、照明、洗濯機、冷蔵庫、掃除機、アロマディフューザーなどが該当する。その他、スマートフォン、パソコン、カーナビゲーションシステム、カメラ、ムービー、浴室システム、電子化された倉庫、街中の街頭、店頭の電子宣伝版、自動販売機、扇風機、ドライヤー、など各種のものが該当する。コンテンツ再生装置の構成は図１に示すようなものであり、以下のとおりである。
＜実施形態１  複合信号受信部＞
【００３１】
「複合信号受信部」０１０１は、超音波信号発生情報と非超音波信号のコンテンツ信号からなる複合信号を受信する。例えば、複合信号受信部０１０１は、テレビ放送やラジオ放送の番組放送中にコンテンツ信号（映像信号・音声信号）と音声信号に重畳された超音波信号発生情報（例えば、クーポンを構成するための情報等）を複合信号（コンポジット信号）の形態で受信すると、受信した複合信号を「コンテンツ信号」と「超音波信号発生情報」とに分割する。
【００３２】
なお、放送側の放送形態等としては、クーポンの信号をコマーシャル放映中に放送すると効果的である。録画の場合にはコマーシャルは早送りされがちだからである。
＜実施形態１  コンテンツ信号再生部＞
【００３３】
「コンテンツ信号再生部」０１０２は、複合信号受信部０１０１から出力された映像や音声のコンテンツ信号を再生する。コンテンツ再生装置としては、上述したような図１４から図２３のような装置であり、テレビやラジオ以外に録画機器、録画再生装置等の各種電子機器が利用される。
＜実施形態１  超音波信号再生部＞
【００３４】
「超音波信号再生部」０１０３は、複合信号受信部０１０１から出力された超音波信号発生情報に基づいて超音波信号を再生し、コンテンツ再生装置０１００に内蔵された図示しない超音波スピーカーから超音波信号が発出される。この発出された超音波信号は、携帯型電子機器０１０５において受信される。なおコンテンツ再生装置自体がコンテンツの生成モードが放送受信再生中なのか、録画等再生中なのかを識別し、録画等再生中の場合にはクーポン情報としてクーポンそのものでなく、クーポンをどのようにしたら入手できるか、などの副次的情報を出力するように構成してもよい。このようにすれば、店頭まで出向いて期待していたクーポンが使えなかったという落胆を回避できるからである。
＜実施形態１  携帯型電子機器＞
【００３５】
携帯型電子機器は、携帯電話、スマートフォン、スマートウオッチ、タブレット端末、電子ブックリーダー、家電製品のリモコン、ウエアラブル端末などが該当する。携帯型とするのは、屋外に持ち出してクーポン情報を提示するためである。
＜実施形態１  超音波信号受信部＞
【００３６】
「超音波信号受信部」０１０６は、超音波信号再生部０１０３で再生される超音波信号を受信し、受信したアナログの超音波信号をディジタル変換し、第一情報取得部０１０７へ出力する。超音波信号受信部並びに後述する第一情報取得部は携帯型電子機器がコンテンツ再生装置の周辺にある時に駆動されるように構成することが好ましい。例えばブルートゥース（登録商標）の自動接続や、Wi-Fiの自動接続機能を用いてコンテンツ再生装置とコネクションが確立している場合に自動的に駆動するように構成することが好ましい。また電子番組表に超音波信号の発生情報を含ませておき、電子番組表のその情報を読み込むことでそのタイミングにのみ超音波信号受信部並びに第一情報取得部を駆動するように構成してもよい。つまり、携帯型電子機器がコンテンツ再生装置の近くにあり、かつ、そのタイミングで超音波信号が出力される予定である場合にのみ駆動することで電力消費の抑制につなげることができる。また前述のコネクションを利用してコンテンツ再生装置の再生情報、例えば選択チャンネル情報などを利用して、超音波信号が発生するチャンネルを選択している場合にのみ超音波信号受信部や第一情報取得部を駆動するように構成してもよい。
＜実施形態１  第一情報取得部＞
【００３７】
「第一情報取得部」０１０７は、超音波信号受信部０１０６から入力したディジタル化された超音波信号から情報に復号化して復号化情報を取得する。ここで取得される復号化情報は、例えばクーポン情報（番組を視聴した人に無料の商品を配布する）などである。その復号化情報の形態は、文字情報、図形情報、コード情報、写真、音声、動画のいずれか一以上を表しており、コード情報である場合には一次元コード情報、二次元コード情報、三次元コード情報などである。より具体的には図２９（Ａ）に示すような一次元バーコード情報、（Ｂ）に示すような二次元バーコード情報（ＱＲコード（登録商標）、データコード等）、（Ｃ）に示すようなＰＤＦ４１７なども利用できる。またコード情報は音声コード情報であってもよく、音声コード情報は、可聴域のコードでも可聴域外のコードでもよい。なお、第一情報を取得した際には、利用者に第一情報を取得した旨の提示をすることが好ましい。提示は音、画像、両者のいずれでもよい。例えばスマートフォンの最上部の最新受信情報欄に表示するように構成しもよい。このように提示しなければ利用者がクーポンなどの情報の受信に気づかず、この情報が利用されない可能性が高まるからである。取得する復号化情報としては例えばクーポン情報があげられるが、それ以外にもアンケート情報、くじ引き、商品引換券、各種チケット（乗車券、入場券、観覧券、参加券など）、商品当選情報、商品選択パンフレット、新聞記事などのメディア情報、写真、動画、催し事開催スケジュール、友達紹介情報、所定の連絡先情報、など、各種の情報であって良い。
＜実施形態１  時間情報取得部＞
【００３８】
「時間情報取得部」０１０８は、復号化情報を取得したときの時間情報を取得する。ここで、時間情報取得は常時行っても良いが、特に復号化情報を取得したときにはその取得したときの時間情報を取得する。時間情報の発出元は、コンテンツ再生装置でもよいし、携帯型電子機器自身の内臓時計でもよい。さらに携帯型電子機器がネットワークを介して時間情報サーバから時間情報を取得するように構成してもよい。なお、時間情報サーバに代えて、タイミング識別情報サーバとして、時刻そのものではないが時刻を識別できる信号を取得するように構成してもよい。この構成も時間情報取得部の実施の一形態である。
＜実施形態１  復号化情報保持部＞
【００３９】
「復号化情報保持部」０１０９は、第一情報取得部０１０７から取得した復号化情報と、「時間情報取得部」０１０８から取得した時間情報とを関連付けて保持する。保持は取得した情報の属性に応じて保持領域を選別するように構成してもよい。同種の情報をまとめるためである。例えばクーポン、動画、静止画、住所、電話番号、くじ、各種チケットなどそれぞれ別の領域に保持するように構成することが好ましい。また保持した時刻を関連付けておくと便利である。さらに取得した情報に有効期限があるような場合には有効期限の順にソートできるように構成することが好ましい。この場合には有効期限も表示できるよう構成する。
＜実施形態１  時間付復号化情報出力部＞
【００４０】
「時間付復号化情報出力部」０１１０は、「復号化情報保持部」０１０９に「保持されている復号化情報を関連付けられている時間情報とともに出力する。復号化情報保持部は例えばその復号化情報の役目が終わった場合にはその保持していた復号化情報を消去するように構成することが好ましい。例えばクーポンが復号化情報である場合にはクーポンが消費された時点でその復号化情報は消去されるように構成するのが好ましい。さらに情報が保持され続けるような性質のものである場合には、適切な保持部に転送るように構成することが好ましい。例えば住所情報、電話番号、などである。時間付復号化情報の出力は原則的には利用者の携帯型電子機器の操作に応じて出力されるように構成する。ただし、電子的、画像的に読み取られるような装置にかざされる場合にはそのような装置との接近を検知して出力されるように構成することが好ましい。例えばＮＦＣなどである。
＜実施形態１  作用：ハードウェア的構成（コンテンツ再生装置）＞
【００４１】
以下、超音波を用いた情報発出システムの作用について説明する。
【００４２】
図２に示すように、コンテンツ再生装置の計算機の構成は、ＣＰＵ０２０１と、ＨＤＤ、ＲＯＭ等の不揮発性メモリ０２０２と、Ｄ−ＲＡＭ等の主メモリ０２０３と、インターフェース０２０４とから構成されている。不揮発性メモリ０２０２には複合信号受信プログラムと超音波信号再生プログラム、コンテンツ信号再生プログラム等のプログラム格納されている。データとしては、番組毎の複合信号、コンテンツ信号、超音波信号発生情報などがある。これらのプログラムやデータは、主メモリ０２０３の保持領域に読み込まれ、作業領域で実行される。また、インターフェース０２０４には、超音波マイクが接続される超音波インターフェース０２０５、再生したコンテンツを表示するディスプレイと接続されるディスプレイインターフェース０２０６、超音波信号を発出するスピーカーに接続されるスピーカーインターフェース０２０７などがある。
＜実施形態１  作用：ハードウェア的構成（携帯型電子機器）＞
【００４３】
図３に示すように、携帯型電子機器の計算機の構成は、ＣＰＵ０３０１と、ＨＤＤ、ＲＯＭ等の不揮発性メモリ０３０２と、Ｄ−ＲＡＭ等の主メモリ０３０３と、インターフェース０３０４とから構成されている。不揮発性メモリ０３０２には、時間情報取得プログラム、超音波信号受信プログラム、第一情報取得プログラム、復号化情報保持プログラム、時間付復号化情報出力プログラム等のプログラム格納されている。データとしては、時間情報、超音波信号、復号化情報などがある。これらのプログラムやデータは、主メモリ０３０３の保持領域に読み込まれ、作業領域で実行される。また、インターフェース０３０４には、上述したコンテンツ再生装置の各種インターフェースと同様な超音波インターフェース０３０５、ディスプレイインターフェース０３０６、スピーカーインターフェース０３０７などがある。
＜実施形態１  処理の流れ  コンテンツ再生装置＞
【００４４】
図４左図に示すように、このようなコンテンツ再生装置の計算機の動作は、複合信号受信プログラムにより超音波信号発生情報と非超音波信号のコンテンツ信号からなる複合信号を受信する複合信号受信ステップを実行する（ステップ０４０１）。複合信号受信ステップ０４０１では、コンテンツ信号（映像・音声等）と音声信号に重畳された超音波発生情報に分割する。
次にコンテンツ信号再生プログラムによりコンテンツ信号を再生するコンテンツ信号再生ステップを実行する（ステップ０４０２）。コンテンツ信号再生ステップ０４０２では、分割されたコンテンツ信号を受信し再生し、ディスプレイインターフェース０２０６を介して図示しないディスプレイにコンテンツを表示する。
次に超音波信号再生プログラムにより超音波信号発生情報に基づいて超音波信号を再生する超音波信号再生ステップを実行する（ステップ０４０３）。超音波信号再生ステップ０４０３では、分割された超音波信号発生情報に基づいて超音波信号を再生し、スピーカーインターフェース０２０７を介して携帯型電子機器０１０５に対して超音波信号を発出する。
【００４５】
上述したコンテンツ信号再生ステップ０４０２と超音波信号再生ステップ０４０３は順に処理を実行しているが、逆の手順でも良く、またほぼ同時に処理しても良い。
＜実施形態１  処理の流れ  携帯型電子機器＞
【００４６】
図４右図に示すように、携帯型電子機器側では、まず時間情報取得プログラムにより時間情報取得ステップを実行する（ステップ０４１１）。時間情報取得ステップ０４１１では、コンテンツ再生装置０２００から発出された超音波信号を受信したときの時間情報を取得する。ここで、時間情報取得ステップ０４１１は、常時時間情報を取得していても良く、超音波信号を受信したときの時間情報は必ず取得するようにする。
【００４７】
次に超音波信号受信プログラムにより再生される超音波信号を受信する超音波信号受信ステップを実行する（ステップ０４１２）。超音波信号受信ステップ０４１２では、図示しない超音波マイクが接続されている超音波インターフェース０３０５を介してコンテンツ再生装置からの超音波信号を受信し、アナログ信号をディジタル信号に変換する。
【００４８】
次に第一情報取得プログラムにより受信した超音波信号を情報に復号化して復号化情報を取得する復号化情報取得ステップを実行する（ステップ０４１３）。復号化情報取得ステップ０４１３では、受信したディジタルの超音波信号を復号化し、文字情報、図形情報、コード情報のいずれか一以上の復号化情報を取得する。
【００４９】
次に復号化情報保持プログラムにより取得した復号化情報と、取得した時間情報とを関連付けて保持する復号化情報保持ステップを実行する（ステップ０４１４）。復号化情報保持ステップ０４１４では、復号化情報を取得したタイミングで時間情報を取得し、取得した復号化情報と、取得した時間情報とを関連付けて保持する。
【００５０】
次に時間付復号化情報出力プログラムにより保持されている復号化情報を関連付けられている時間情報とともに出力する時間付復号化情報出力ステップを実行する（ステップ０４１５）。時間付復号化情報出力ステップ０４１５では、ステップ０４１４で保持されている復号化情報（字情報、図形情報、コード情報等）を関連付けられている時間情報とともに出力する。関連付けられている時間情報は、復号化情報を取得したタイミングの時間情報を示す。これにより、例えば、復号化情報として、例えばクーポン情報を取得したタイミングの時間情報とともにクーポン情報が取得できるようになるので、番組の生放送を視聴してクーポン情報を取得したのか、録画再生装置を再生して取得したのかを判別できるようになる。
【００５１】
このように、本実施形態１によれば、テレビ放送やラジオ放送などの音声を含むコンテンツの提供に重畳して、クーポンを構成するための情報を超音波により送出するシステムにおいて、クーポン情報の受信時が、番組放送時か録画された放送の再生時かの判別可能な超音波を用いた情報発出システムを提供できる。これによって録画された番組でコマーシャルの早送り等をしていない視聴スタイルの視聴者に対してのみクーポンを付与するような選別性のあるクーポン付与が可能となる。
＜実施形態２＞
＜概要＞
【００５２】
実施形態２は、実施形態１を基本として、一部に特徴を有する情報発出システムである。
＜実施形態２  構成＞
【００５３】
実施形態２の情報発出システムは、複合信号受信部と、コンテンツ信号再生部と、超音波信号再生部と、を有するコンテンツ再生装置と、時間情報取得部と、超音波信号受信部と、第一情報取得部と、復号化情報保持部と、時間付復号化情報出力部と、を有する携帯型電子機器と、からなり、更に前記超音波信号はコード情報生成信号であり、時間付復号化情報出力部は、第一コード情報出力手段を有する。
＜実施形態２  構成の説明＞
＜実施形態２  コンテンツ再生装置＞
【００５４】
図５に示すように、実施形態２のコンテンツ再生装置の構成は複合信号受信部０５０１とコンテンツ信号再生部０５０２と超音波信号再生部０５０３と有する。超音波信号再生部がコード情報を構成する信号を再生する点を除いては実施形態１と同様であるので、説明を省略する。
＜実施形態２  携帯型電子機器＞
【００５５】
実施形態２の携帯型電子機器０５０５は、コンテンツ再生装置から受信する信号がコード情報を構成する信号である場合にコード情報を生成する機能を有する携帯型電子機器である点に特徴がある。つまり、時間付復号化情報出力部０５１０に第一コード情報出力手段０５１１を有する点以外は、実施形態１の構成と同様であるので、特徴点について説明をし、その他の共通点は説明を省略する。
＜実施形態２  復号化情報保持部＞
【００５６】
すなわち、携帯型電子機器０５０５の「復号化情報保持部」０５０９で保持される復号化情報は第一コード情報であり、出力は外部機器に読み取り、解釈可能なコードとして出力される。
＜実施形態２  時間付復号化情報出力部：第一コード情報出力手段＞
【００５７】
第一コード情報出力手段「０５１１」は、復号化情報保持部０５０９からの復号化情報と関連づけられた時間情報を受け取ると、復号化情報を第一コード情報に変換し、関連づけられた時間情報とともに、出力する。第一コード情報としては、一次元コード情報、二次元コード情報、三次元コード情報、可聴域音コード情報、非可聴域音コード情報、キャラクタータイプコード情報（文字、数字、記号、絵）などである。より具体的には図２９（Ａ）に示すような一次元バーコード情報、（Ｂ）に示すような二次元バーコード情報（ＱＲコード（登録商標）、データコード等）、（Ｃ）に示すようなＰＤＦ４１７なども利用できる。このようなコード情報でクーポン情報を構成し、番組を視聴した人に無料の商品を配布するクーポン等として利用できる。なお、保持されている復号化情報を文字にて出力するか、コードにて出力するか、画像（写真、絵）、音声、動画、として出力するか、あるいはこれらを複合化して出力するかを利用者に選択可能に構成してもよい。あるいは、出力のタイミングでどのような出力形態を選択するかのルールを保持して、その時刻とルールに従って出力するように構成してもよい。あるいは読み取り機からのリクエストに応えて出力形態が選択されるように構成してもよい。
【００５８】
以下、実施形態２の超音波を用いた情報発出システムの作用について説明する。
＜実施形態２  作用：ハードウェア構成（コンテンツ再生装置）＞
【００５９】
図５のコンテンツ再生装置０５００のハードウェア構成は、実施形態１の図２と同様であるので、説明を省略する。
＜実施形態２  作用：ハードウェア構成（携帯型電子機器）＞
【００６０】
図６に示すように、携帯型電子機器０５０５の計算機の構成は、ＣＰＵ０６０１、不揮発性メモリ０６０２、主メモリ０６０３、インターフェース０６０４、超音波インターフェ−ス０６０５、ディスプレイインターフェース０６０６、スピーカーインターフェース０６０７から構成される。不揮発性メモリ０６０２に第一コード情報出力サブプログラムが格納されており、データとして第一コード情報が格納されている。この第一コード情報出力サブプログラムやデータとしての第一コード情報が主メモリ０６０３の保持領域に読み込まれ、作業領域で実行される。その他のプログラムやデータは、図３と同様であるので、説明を省略する。
＜実施形態２  処理の流れ  コンテンツ再生装置＞
【００６１】
図７左図に示すように、このようなコンテンツ再生装置の計算機の動作は、複合信号受信ステップ０７０１、コンテンツ信号再生ステップ０７０２、超音波信号再生ステップ０７０３は、実施形態１の図４の左図と同様であるので、説明を省略する。
＜実施形態２  処理の流れ  携帯型電子機器＞
【００６２】
図７右図に示すように、携帯型電子機器側では、時間情報取得ステップ０７１１、超音波信号受信ステップ０７１２、復号化情報取得ステップ０７１３、復号化情報保持ステップ０７１４は、実施形態１の図４のステップ０４１１から０４１４までの処理と同様であるので、説明を省略する。
【００６３】
時間付復号化情報出力ステップ０７１５に第一コード情報出力サブステップ０７１６を有する点が第１実施形態とは異なる。第一コード情報出力サブステップ０７１６では、復号化情報が第一コード情報に変換され、一次元コード情報、二次元コード情報、三次元コード情報その他各種の第一コード情報と関連づけられた時間情報が出力される。これにより、例えば図２９（Ａ）に示すような一次元バーコード情報、（Ｂ）に示すような二次元バーコード情報（ＱＲコード（登録商標）、データコード等）、（Ｃ）に示すようなＰＤＦ４１７などが出力され、クーポン情報として利用できる。
【００６４】
このように、本実施形態２によれば、第１実施形態１に加え、クーポン情報としてバーコード情報を含むコード情報が利用できるので、情報として利用しやすい。
＜実施形態３＞
＜概要＞
【００６５】
実施形態３は、実施形態１又は、実施形態２を基本として一部に特徴を有する情報発出システムである。
＜実施形態３  構成＞
【００６６】
実施形態３の情報発出システムは、複合信号受信部と、コンテンツ信号再生部と、超音波信号再生部と、を有するコンテンツ再生装置と、時間情報取得部と、超音波信号受信部と、第一情報取得部と、復号化情報保持部と、時間付復号化情報出力部と、を有する携帯型電子機器と、からなり、更に前記時間付復号化情報出力部は、復号化情報と関連付けられている時間情報として第二コード情報を出力する第二コード情報出力手段を有する。
＜実施形態３  構成の説明＞
＜実施形態３  コンテンツ再生装置＞
【００６７】
複合信号受信部０８０１とコンテンツ信号再生部０８０２と超音波信号再生部０８０３と有するコンテンツ再生装置は、実施形態１と同様であるので、説明を省略する。
＜実施形態３  携帯型電子機器＞
【００６８】
実施形態３の携帯型電子機器０８０５は、時間付復号化情報出力部０８１０が、復号化情報と関連付けられている時間情報として第二コード情報を出力する第二コード情報出力手段０８１１を有する点以外は、実施形態１の構成と同様であるので、説明を省略する。
＜実施形態３  時間付復号化情報出力部：第二コード情報出力手段＞
【００６９】
「第二コード情報出力手段」０８１１は、復号化情報と関連付けられている時間情報として第二コード情報を出力する。すなわち、携帯型電子機器０８０５の復号化情報保持部０８０９で保持される復号化情報とその復号化情報を取得したときのタイミングの時間情報とが関連づけられて保持されている。
【００７０】
第二コード情報出力手段０８１１は、復号化情報保持部０５０９からの復号化情報と関連づけられた時間情報を受け取ると、時間情報を第二コード情報に変換し、関連づけられた復号化情報とともに、出力する。第二コード情報としては、一次元コード情報、二次元コード情報、三次元コード情報などである。より具体的には図２９（Ａ）に示すような一次元バーコード情報、（Ｂ）に示すような二次元バーコード情報（ＱＲコード（登録商標）、データコード等）、（Ｃ）に示すようなＰＤＦ４１７なども利用できる。このようなコード情報で時間情報を構成し、このコード情報と文字情報、図形情報との組み合わせで番組を視聴した人に無料の商品を配布するクーポン情報等を構成することができる。
＜実施形態３  作用：ハードウェア構成（コンテンツ再生装置）＞
【００７１】
図８のコンテンツ再生装置０８００のハードウェア構成は、実施形態１の図２と同様であるので、説明を省略する。
＜実施形態３  作用：ハードウェア構成（携帯型電子機器）＞
【００７２】
図９に示すように、携帯型電子機器０９０５は、ＣＰＵ０９０１、不揮発性メモリ０９０２、主メモリ０９０３、インターフェース０９０４、超音波インターフェ−ス０９０５、ディスプレイインターフェース０９０６、スピーカーインターフェース０９０７から構成される。不揮発性メモリ０９０２に第二コード情報出力サブプログラムが格納されており、データとして第二コード情報が格納されている。この第二コード情報出力サブプログラムやデータとしての第二コード情報が主メモリ０９０３の保持領域に読み込まれ、作業領域で実行される。その他のプログラムやデータは、図３と同様であるので、説明を省略する。
＜実施形態３  処理の流れ  コンテンツ再生装置＞
【００７３】
図１０左図に示すように、このようなコンテンツ再生装置の計算機の動作は、複合信号受信ステップ１００１、コンテンツ信号再生ステップ１００２、超音波信号再生ステップ１００３は、図４の左図と同様であるので、説明を省略する。
＜実施形態３  処理の流れ  携帯型電子機器＞
【００７４】
図１０右図に示すように、携帯型電子機器側では、時間情報取得ステップ１０１１、音波信号受信ステップ１０１２、復号化情報取得ステップ１０１３、復号化情報保持ステップ１０１４は、図４のステップ０４１１から０４１４までの処理と同様であるので、説明を省略する。
【００７５】
時間付復号化情報出力ステップ１０１５に第二コード情報出力サブステップ１０１６を有する点が第１実施形態とは異なる。第二コード情報出力サブステップ１０１６では、時間が第二コード情報に変換され、一次元コード情報、二次元コード情報、三次元コード情報などの時間情報と関連づけられた復号化情報が出力される。これにより、例えば図２９（Ａ）に示すような一次元バーコード情報、（Ｂ）に示すような二次元バーコード情報（ＱＲコード（登録商標）、データコード等）、（Ｃ）に示すようなＰＤＦ４１７などの時間情報が出力され、文字情報、図形情報等の復号化情報と、コード情報と組み合わせてクーポン情報を構成できるので、番組放送時のクーポン取得か、録画再生装置の再生時のクーポン取得か判別できるようになる。
【００７６】
このように、本実施形態３によれば、第１実施形態、第２実施形態に加え、時間情報がコード化されているので、利用しやすい。
【００７７】
第２実施形態または第３実施形態においては、復号化情報をコード情報にしたり、または時間情報をコード化する例を示したが、復号化情報と時間情報をコード化しても良い。
＜実施形態４＞
＜概要＞
【００７８】
実施形態４は、実施形態１から実施形態３のいずれかを基本として、一部に特徴を有する情報発出システムである。
＜実施形態４  構成＞
【００７９】
実施形態４の情報発出システムは、複合信号受信部と、コンテンツ信号再生部と、超音波信号再生部と、を有するコンテンツ再生装置と、時間情報取得部と、超音波信号受信部と、第一情報取得部と、復号化情報保持部と、時間付復号化情報出力部と、を有する携帯型電子機器と、からなり、認証用復号化情報保持部と、復号化情報取得部と、時間情報比較部と、比較結果出力部と、からなる認証装置をさらに有する。
＜実施形態４  コンテンツ再生装置＞
【００８０】
複合信号受信部１１０１、コンテンツ信号再生部１１０２、超音波信号再生部１１０３を有するコンテンツ再生装置１１００は、図１のコンテンツ再生装置０１００と同様であるので、詳細な説明を省略する。
＜実施形態４  携帯型電子機器＞
【００８１】
超音波信号受信部１１０６、第一時間情報取得部１１０７、時間情報取得部１１０８、復号化情報保持部１１０９、時間付復号化情報出力部１１１０は、図１の携帯型電子機器１１０５のそれぞれの構成と同様であるので、説明を省略する。
＜実施形態４  認証装置＞
【００８２】
認証装置は、例えば、ＰＯＳ端末装置、店舗の会計端末、クレジットカード読み取り端末、電子マネー読み取り端末、パソコン、タブレット端末などで実現される。
＜実施形態４  認証用復号化情報保持部＞
【００８３】
「認証用復号化情報保持部」１１２１は、復号化情報を識別する復号化情報識別情報と、復号化情報識別情報に関連付けた時間情報（Ａ）と、を認証のために保持する。ここで、時間情報（Ａ）は認証用の時間情報であり、その時間情報と復号化情報識別情報に関連付けて保持されている。復号化情報識別情報は、復号化情報を識別するための情報であり、復号化情報そのものであってもかまわない。復号化情報を識別する情報として例えば復号化情報の要約関数を用いた要約結果であってもよいし、復号化情報に含まれている識別情報であってもよい。認証用復号化情報保持部は、認証用に予め入力、取得された情報であって良い。これは放送局にある放送サーバなどから取得してよい。認証用情報は、番組などで超音波信号が実際に出力されたものを取得することで形成する情報であってもよい。後者の場合には、前番組の時間延長などであらかじめタイミングが定められないような場合に有効である。
＜実施形態４  復号化情報取得部＞
【００８４】
「復号化情報取得部」１１２１は復号化情報とこれに関連付けられている時間情報「Ｍ」とを携帯型電子機器１１０５から取得する。ここで、時間情報「Ｍ」は携帯型電子機器１１０５の復号化情報保持部１１０９に復号化情報と関連付けて保持されていたものである。
＜実施形態４  時間情報比較部＞
【００８５】
「時間情報比較部」１１２３は、取得した復号化情報を識別する復号化情報識別情報に関連付けて保持されている時間情報「Ａ」と取得した復号化情報に関連付けて取得した時間情報「Ｍ」とを比較する。ここで、例えば番組放送を視聴して携帯型電子機器で無料のクーポン情報（復号化情報）を取得した場合、本当に番組を視聴して取得したものかを認証装置の時間情報（Ａ）と時間情報（Ｍ）とを比較することにより判別できる。時間情報が一致した場合は真正なクーポンとして処理し、復号化情報に対応した処理を行う。時間情報「Ａ」と時間情報「Ｍ」との比較は秒単位、分単位、などで比較する。ある程度の誤差があってもよい。例えば時間情報「Ｍ」が時間情報「Ａ」からプラスマイナス１分内、５分内などの幅をもって合致すると判断してもよい。時間情報は一般的にはコンテンツ再生装置ないしは携帯型電子機器に内臓の時計から取得するが、これらの時計が正しくない場合があるからである。
＜実施形態４  比較結果出力部＞
【００８６】
「比較結果出力部」１１２４は「時間情報比較部」１１２３での比較結果を出力する。例えば、時間情報（Ａ）と時間情報「Ｍ」が一致した場合は、正常と判別し、不一致の場合は異常と判断する。比較結果出力部の比較結果に応じて後処理が設定されていてよい。例えば一致した場合には高額の商品と、一致しない場合には低額の商品と交換するなどである。また一致した場合にはポイントをたくさんつけ、一致しない場合には少ししかポイントをつけない、などでもよい。ポイントをつける相手機器は携帯型電子機器そのものでよいが、他の電子機器にポイントをつけたり、紙出力するなどでもよい。
＜実施形態４  作用：ハードウェア構成（コンテンツ再生装置）
【００８７】
図１１のコンテンツ再生装置１１００のハードウェア構成は、実施形態１の図２の構成と同様であるので、説明を省略する。
＜実施形態４  作用：ハードウェア構成（携帯型電子機器）
【００８８】
図１１の携帯型電子機器１１０５のハードウェア構成は、実施形態１の図３の構成と同様であるので、説明を省略する。
＜実施形態４  作用：ハードウェア構成（認証装置）
【００８９】
図１２に示すように、認証装置１１２０は、ＣＰＵ１２０１、不揮発性メモリ１２０２、主メモリ１２０３、インターフェース１２０４、通信インターフェ−ス１２０５、ディスプレイインターフェース１２０６、スピーカーインターフェース１２０７から構成される。不揮発性メモリ１２０２に認証用復号化情報保持プログラムと復号化情報取得プログラムと時間情報比較プログラムと比較結果出力プログラムなどが格納されている。データとしては、復号化情報識別情報と時間情報（Ａ）と復号化情報と時間情報（Ｍ）などが格納されている。これらのプログラムやデータが、主メモリ１２０３の保持領域に読み込まれ、作業領域で実行される。
＜実施形態４  処理の流れ  コンテンツ再生装置＞
【００９０】
図１３左図に示すように、このようなコンテンツ再生装置の計算機の動作は、複合信号受信ステップ１３０１、コンテンツ信号再生ステップ１３０２、超音波信号再生ステップ１３０３は、実施形態１の図４の左図と同様であるので、説明を省略する。
＜実施形態４  処理の流れ  携帯型電子機器＞
【００９１】
図１３中図に示すように、携帯型電子機器側では、時間情報取得ステップ１３１１、超音波信号受信ステップ１３１２、復号化情報取得ステップ１３１３、復号化情報保持ステップ１３１４、時間付復号化情報出力ステップ１３１５は、実施形態１の図４のステップ０４１１から０４１５までの処理と同様であるので、説明を省略する。
＜実施形態４  処理の流れ  認証装置に至る処理の概要＞
【００９２】
上述したようなコンテンツ再生装置と携帯型電子機器との間での超音波信号再生ステップ１３０３と超音波信号受信ステップ１３１２を経て、携帯型電子機器に超音波信号が受信され超音波信号が復号化されて時間情報と共に復号化情報が保持される。時間付復号化情報出力ステップ１３１５では、保持されている復号化情報を関連付けられている時間情報とともに認証装置側に出力する。
【００９３】
以下、認証装置側の処理について説明する。
＜実施形態４  処理の流れ  認証装置＞
【００９４】
図１３右の最初のステップは、認証用復号化情報保持ステップ１３２１であるが、ここで保持されている情報は、例えば、通信インターフェースを介して、図示しないサーバから受信する。次に復号化情報とこれに関連付けられている時間情報とを携帯型電子機器から取得する復号化情報取得ステップを実行する（ステップ１３２２）。次に時間情報比較プログラムにより取得した復号化情報を識別する復号化情報識別情報に関連付けて保持されている時間情報と、取得した復号化情報に関連付けて取得した時間情報とを比較する時間情報比較ステップを実行する（ステップ１３２３）。次に比較結果出力プログラムにより比較結果を出力する比較結果出力ステップを実行する（ステップ１３２４）。
【００９５】
このように、実施形態１〜３に加えて、本実施形態４によれば、例えば、時間情報に関連付けられた復号化情報、例えばクーポン情報の認証ができるので、録画機器からのクーポン情報か、実際にテレビ放送を視聴して取得したものかの判別が可能となる。また、この認証情報を蓄積してマーケティングに利用することができる。
＜実施形態５＞
＜概要＞
【００９６】
実施形態５は、実施形態１から実施形態４のいずれかを基本として、一部に特徴を有する情報発出システムである。
＜実施形態５  構成＞
【００９７】
実施形態５の情報発出システムは、コンテンツ再生装置が、テレビ機能を有する装置、ラジオ機能を有する装置、録画再生装置、録音再生装置、調理器具、空調器具、照明器具、洗濯機、冷蔵庫、掃除機、アロマディフューザー、のいずれかである。
＜実施形態５  コンテンツ再生装置＝テレビ＞
【００９８】
図１４は実施形態５の超音波を用いた情報発出システムにおけるコンテンツ再生装置がテレビの一例を示す図である。
【００９９】
図１４の実施形態５の情報発出システムは、コンテンツ再生装置がテレビ１４００（例えば液晶テレビ、有機ＥＬテレビ等）であり、携帯型電子機器はスマートフォン１４０１で構成される。放送番組や録画番組の複合信号からコンテンツ（映像・音声）が再生され、音声信号に重畳された超音波信号発生情報に基づいて超音波信号が再生され、テレビ１４００の図示しない超音波スピーカーから超音波信号が発出される。スマートフォン１４０１は図示しない超音波マイクによりテレビ１４００からの超音波信号を受信し、受信した超音波信号を復号化して復号化情報を取得する。このとき、時間情報も取得し、その時間情報と復号化情報を関連付けて保持し、復号化情報がクーポン情報の場合はコンビニなどの店頭でスマートフォン１４０１から取得した復号化情報と関連付けた時間情報とともに出力することにより情報を利用できる。
＜実施形態５  コンテンツ再生装置＝ラジオ＞
【０１００】
図１５は実施形態５の超音波を用いた情報発出システムにおけるコンテンツ再生装置がＣＤラジカセの一例を示す図である。
【０１０１】
図１５の実施形態５の情報発出システムは、コンテンツ再生装置がＣＤラジカセ１５００であり、携帯型電子機器がスマートフォン１５０１の例を示している。この情報発出システムでは、生放送中のラジオ放送やラジオ録音された音声データを視聴するとき、ＣＤラジカセ１５００から音声データに重畳された超音波信号が発出され、スマートフォン１５０１の超音波マイクを介して受信し、受信した超音波信号を復号化情報と関連付けた時間情報とともに出力することができるので、生放送のラジオ放送受信時の復号化情報か、ラジオ録音された復号化情報かが判別できる。
【０１０２】
図１６は実施形態５の超音波を用いた情報発出システムにおけるコンテンツ再生装置がＤＶＤ録画再生装置の一例を示す図である。
＜実施形態５  コンテンツ再生装置＝ＤＶＤ録画再生装置＞
【０１０３】
図１６の実施形態５の情報発出システムは、コンテンツ再生装置がＤＶＤ録画再生装置１６００であり、携帯型電子機器がスマートフォン１６０１の例を示している。この例では、クーポン情報を構成する超音波信号を録画再生装置１６００からスマートフォン１６０１へ出力しても、スマートフォン１６０１は復号化情報と関連付けた時間情報（クーポン情報）とともに保持しているので、コンテンツ側がＤＶＤ再生時、録画番組再生時、ＣＯＰＹ・ＤＶＤ再生時などの判別が可能となる。コンテンツがＤＶＤ等の可搬型情報媒体である場合には再生時間情報は、ＤＶＤが再生された時刻である。そして、認証装置で用いる認証用の時間は例えばＤＶＤ発売時、ＤＶＤ発送時、などが考えられる。ＤＶＤの発売から短期間しかたっていない場合にはまだそのＤＶＤに収められたコンテンツの関連グッズが店頭に配されているのでこれを配布するように構成し、時間がだいぶたっている場合には関連グッズはもう在庫がないので、ポイントを配布するなどのように応用可能である。またＤＶＤ発送時であれば、商品のコマーシャルが入ったＤＶＤをタイミングよく視聴してくれた利用者には高額商品を引き換え、そうでない場合には比較的低額の商品と引き換えるなどの利用が考えられる。なおＤＶＤ録画装置は、ＨＤＤレコーダー、ＳＳＤレコーダー、ブルーレイレコーダーをも含む概念である。
＜実施形態５  コンテンツ再生装置＝調理器具＞
【０１０４】
図１７は実施形態５の超音波を用いた情報発出システムにおけるコンテンツ再生装置が調理器具の一例を示す図である。
【０１０５】
図１７の実施形態５の情報発出システムは、コンテンツ再生装置が調理器具１７００であり、携帯型電子機器がスマートフォン１７０１の例を示している。インターネット放送や、ＴＶ番組経由、ラジオ番組経由、ＵＳＢ経由（調理器具にＵＳＢメモリを外部接続）、スマホ経由でコンテンツと超音波発生信号を調理器具１７００が取得する。コンテンツとしては例えば調理器具の制御信号としての調理レシピが含まれており、そのほかに超音波信号発生情報が含まれている。この調理器具から、例えば調理レシピの再生中に超音波信号が発出されスマートフォン１７０１が受信する。超音波信号によって復号される復号化情報としては、例えば次回の調理メニューに適した商品のクーポンや、今回購入した調理具材（ピザの素材、焼き飯の素材、カレーの素材、焼き鳥の素材など）を購入した店舗の商品交換券や、調理レシピを電子的に購入した場合には次の調理レシピの割引券などがあげられる。なお、調理レシピを電子的に購入した場合には、その購入操作機器は調理器具であるのが便利であり、超音波信号によって再生された復号化情報の出力先を調理器具などのコンテンツ再生装置とすることも考えられる。
＜実施形態５  コンテンツ再生装置＝空調器具（エアコン）＞
【０１０６】
図１８は実施形態５の超音波を用いた情報発出システムにおけるコンテンツ再生装置がエアコンの一例を示す図である。
【０１０７】
図１８の実施形態５の情報発出システムは、コンテンツ再生装置がエアコン１８００であり、携帯型電子機器がスマートフォン１８０１の例を示している。また、エアコン１８００とテレビ１８０２がインターネット経由、又はＬＡＮ経由、近接無線等で接続されている。この場合は、インターネット制御、ＵＳＢプログラム制御（エアコン１８００にＵＳＢメモリを外部接続）、ＴＶ番組経由、ラジオ番組経由で複合信号のやり取りができる。コンテンツ再生装置であるエアコンが復号化情報の中から取得するコンテンツとしてはエアコンの運転プログラム、例えばその日の天候に合わせて一日の運転をどのようにするかなどであり、コンテンツとともに取得する超音波信号発生情報は、その復号化情報としてエアコンの備品に関するクーポン情報や、エアコンのまだ利用されていない機能を無料で利用可能にする情報などを挙げることができる。この種のエアコンは、複数の機能があらかじめ備えられており、有償で料金を支払うとその機能が一つ一つ利用可能になるという種のものである。従って例えばエアコンの運転プログラムを有償で購入するといまだ利用していない機能を利用するために使えるクーポン等を入手できるように構成してもよい。
＜実施形態５  コンテンツ再生装置＝照明器具＞
【０１０８】
図１９は実施形態５の超音波を用いた情報発出システムにおけるコンテンツ再生装置が照明器具の一例を示す図である。
【０１０９】
図１９の実施形態５の情報発出システムは、コンテンツ再生装置が照明器具１９００であり、携帯型電子機器がスマートフォン１９０１の例を示している。この例では、インターネット経由、ＵＳＢプログラム制御（照明器具１９００にＵＳＢメモリを外部接続）、ＴＶ番組経由、ラジオ番組経由で複合信号を受信する。復号信号に含まれているコンテンツとしては例えば照明の照度コントロールを照明開始からの時間経過に従って高くしたり、低くしたりするような照明プログラムが考えられる。例えば長時間のデスクワークで徐々に眼精疲労がたまってゆくような場合には徐々に照度を挙げるのが好ましい。また、照明の下にある書物や絵、図面などに応じて照度をコントロールすることも考えられる。この場合には照明が照らす面を画像センサーで検出し、インターネット等を介してその画像を分析して、分析結果に応じた照度とするようなプログラムが考えられる。この場合に超音波信号発生情報に基づく復号化情報の一例としては、同じ種類の照明のクーポン券や、その照明に利用できる備品のクーポン券、その他照明プログラムを購入するためのクーポン券などが考えられる。
＜実施形態５  コンテンツ再生装置＝洗濯機＞
【０１１０】
図２０は実施形態５の超音波を用いた情報発出システムにおけるコンテンツ再生装置が洗濯機の一例を示す図である。
【０１１１】
図２０の実施形態の情報発出システムは、コンテンツ再生装置が洗濯機２０００であり、携帯型電子機器がスマートフォン２００１の例を示している。この例では、インターネット経由、ＵＳＢプログラム制御（洗濯機２０００にＵＳＢメモリを外部接続）、ＴＶ番組経由、ラジオ放送経由で複合信号を受信する。複合信号に含まれているコンテンツとしては、洗濯機に投入される洗濯対象物に応じて最適に選択するための洗濯プログラムが代表的である。特に洗濯対象物が一般的でないような場合に洗濯プログラムをインターネットや番組放送などを介して取得することが考えられる。一般的でないものとは例えばぬいぐるみ、枕、靴、ふとんなどである。また超音波信号発生情報に基づいて得られる復号化情報としてはその洗濯機に適した洗剤、柔軟剤、漂白剤などの備品のクーポン券、その洗濯機のメンテナンスクーポン券、その洗濯機で洗濯可能な各種のアメニティなどのクーポン券が考えられる。また洗濯機のプログラムや機能が有償である場合にはそれらのクーポン券なども考えられる。
＜実施形態５  コンテンツ再生装置＝冷蔵庫＞
【０１１２】
図２１は実施形態５の超音波を用いた情報発出システムにおけるコンテンツ再生装置が冷蔵庫の一例を示す図である。
【０１１３】
図２１の実施形態５の情報発出システムは、コンテンツ再生装置が冷蔵庫２１００であり、携帯型電子機器がスマートフォン２１０１の例を示している。この例では、インターネット経由、ＵＳＢプログラム制御（冷蔵庫２１００にＵＳＢメモリを外部接続）、ＴＶ番組経由、ラジオ放送経由で複合信号を受信する。複合信号に含まれているコンテンツとしては、冷蔵庫に収納されている物を識別したうえで最適な冷蔵環境を提供するプログラムや、冷蔵庫の機能が有償で利用可能になるような場合にはその機能を実現するためのプログラムなどが考えられる。超音波信号発生情報に基づいて得られる復号化情報としては、冷蔵庫の未利用のプログラムや、各種のクーポン券などが考えられる。
＜実施形態５  コンテンツ再生装置＝掃除機＞
【０１１４】
図２２は実施形態５の超音波を用いた情報発出システムにおけるコンテンツ再生装置が掃除機の一例を示す図である。
図２２の実施形態５の情報発出システムは、コンテンツ再生装置が掃除機２２００であり、携帯型電子機器がスマートフォン２２０１の例を示している。この例では、インターネット経由、ＵＳＢプログラム制御（掃除機２２００にＵＳＢメモリを外部接続）、ＴＶ番組経由、ラジオ放送経由で複合信号を受信する。複合信号に含まれているコンテンツとしては、床面の状況に応じて吸引の仕方をコントロールするコントロールプログラムなどが考えられる。さらには、吸引したのちの排気をコントロールするための排気コントロールプログラムが考えられる。排気のコントロールとは、例えば排気温度のコントロール、排気に紫外線を照射するかしないかなどのコントロール、排気に芳香剤を付加するかなどのコントロール等を挙げることができる。また複合信号に含まれる超音波信号発生情報に基づく復号化情報の例としては、掃除機の備品のクーポンや、掃除機の未利用の機能の実現クーポンなどが考えられる。
＜実施形態５  コンテンツ再生装置＝アロマディフューザー＞
【０１１５】
図２３は実施形態５の超音波を用いた情報発出システムにおけるコンテンツ再生装置がアロマディフューザーの一例を示す図である。
【０１１６】
図２３の実施形態５の情報発出システムは、コンテンツ再生装置がアロマディフューザー２３００であり、携帯型電子機器がスマートフォン２３０１の例を示している。この例では、インターネット経由、ＵＳＢプログラム制御（アロマディフューザー２３００にＵＳＢメモリを外部接続）、ＴＶ番組経由、ラジオ放送経由で複合信号を受信する。複合信号に含まれるコンテンツの例としては、例えば各種のアロマが準備されており、今回どの種類のアロマを利用するかを決定するプログラムや、アロマディフューザーの出力強度をコントロールするためのプログラムや、アロマディフューザーの香りの強度をコントロールするプログラムなどである。また超音波信号発生情報に基づく復号化信号としては、アロマの購入のチケット、クーポンなどであったり、アロマディフューザーの未利用機能の利用のためのクーポンであったり、あるいはアロマディフューザーのコントロールプログラムであったりする。
【０１１７】
このように、本実施形態５によれば、実施形態１から実施形態４に加えて、テレビ以外の各種電子機器にも適用できる。
＜実施形態６＞
＜概要＞
【０１１８】
実施形態６は、実施形態１から実施形態５のいずれかを基本として、一部に特徴を有する情報発出システムである。
＜実施形態６  構成＞
【０１１９】
実施形態６の情報発出システムは、複合信号受信部と、コンテンツ信号再生部と、超音波信号再生部と、超音波信号受信部と、第二情報取得部と、超音波信号再生制御部と、を有するコンテンツ再生装置と、時間情報取得部と、超音波信号受信部と、第一情報取得部と、復号化情報保持部と、時間付復号化情報出力部と、第三情報取得部と、変換部と、超音波信号出力部と、を有する携帯型電子機器と、からなる。この実施形態６は、携帯型電子機器からコンテンツ再生装置に超音波信号を発出する構成を採用し、図２４に示す。
＜実施形態６  構成の説明＞
＜実施形態６  コンテンツ再生装置＞
【０１２０】
複合信号受信部２４０１、コンテンツ信号再生部２４０２、超音波信号再生部２４０３は、図１に示す実施形態１の構成と同様であるので、説明を省略することとし、相違点について説明する。
＜実施形態６  超音波信号受信部＞
【０１２１】
「超音波信号受信部」２４０４は携帯型電子機器からの超音波信号を受信する。ここでは、アナログの超音波信号を受信し、ディジタル信号に変換する。
＜実施形態６  第二情報取得部＞
【０１２２】
「第二情報取得部」２４０５は受信した超音波信号を情報に復号化して復号化情報を取得する。ここでは、「第二情報取得部」２４０５は受信したディジタルの超音波信号を文字情報、画像情報、コード情報等の情報に復号化して復号化情報を取得する。
＜実施形態６  超音波信号再生制御部＞
【０１２３】
「超音波信号再生制御部」２４０６は第二情報取得部２４０５から取得した復号化情報に基づいて直接又は間接に超音波信号再生部２４０３を制御する。例えばコンテンツ再生装置から発出される超音波信号の受信に失敗した場合に再度その超音波信号を出力する命令が該当する。さらに、復号化情報をインターネットなどを介してコンテンツ再生装置が接続可能なサーバ等に送信し、サーバ等から次の複合信号を受信するように構成することも可能である。この場合にはステップバイステップで処理を順次進めてゆく場合に便利である。例えば、携帯型電子機器が受信した超音波信号に基づく復号化情報について携帯型電子機器でイエス、ノーの処理をし、その処理結果をコンテンツ再生装置を介してサーバに送信して、イエス、ノーの結果に応じた次の信号を送信させるような構成を一例として挙げることができる。
＜実施形態６  携帯型電子機器＞
【０１２４】
超音波信号受信部２４１１、第一情報取得部２４１２、復号化情報保持部２４１４、時間情報取得部２４１３、時間付復号化情報出力部２４１５は、図１に示す実施形態１の構成と同様であるので、説明を省略し、相違点について説明する。
＜実施形態６  第三情報取得部＞
【０１２５】
「第三情報取得部」２４１６は、時間付復号化情報出力部２４１５からの復号化情報（１）を取得する。ここで、復号化情報は（１）のルートに限らず、外部から取得するルート（２）や第一情報取得部２４１２のルート（３）により直接取り込んでも良い。第三情報取得部にて取得された情報は、変換部に渡されて超音波信号に変換され外部出力される。
＜実施形態６  変換部＞
【０１２６】
「変換部」２４１７は「第三情報取得部」２４１６から取得した復号化情報をディジタル信号からアナログの超音波信号に変換する。変換した超音波信号は超音波信号出力部から超音波として出力される。
＜実施形態６  超音波信号出力部＞
【０１２７】
「超音波信号出力部」２４１８は変換して得られたアナログの超音波（信号）を出力する。出力された超音波信号はコンテンツ再生装置が取得したり、前述の認証装置が取得したり、その他の電子機器が取得する。これによって超音波を利用したコミュニケーションが可能となる一方、コンテンツの再生に障害をもたらさないので便利である。また超音波信号は、近接送受信信号であり、近接電子機器間での情報交換に限定できるのでリアルに近接している電子機器間での情報交換に限定できるというメリットを享受できる。
＜実施形態６  作用：ハードウェア的構成（コンテンツ再生装置）＞
以下、超音波を用いた情報発出システムの作用について説明する。
【０１２８】
図２５に示すように、コンテンツ再生装置の計算機の構成は、ＣＰＵ２５０１と、不揮発性メモリ２５０２と、主メモリ２５０３と、インターフェース２５０４、超音波インターフェース２５０５、ディスプレイインターフェース２５０６、スピーカーインターフェース２５０７とから構成されている。不揮発性メモリ２５０２には超音波信号受信プログラムと第二情報取得プログラムと超音波信号再生制御プログラム等のプログラムが格納されている。データとしては、超音波信号、復号化情報などがある。これらのプログラムやデータは、主メモリ２５０３の保持領域に読み込まれ、作業領域で実行される。ここで、その他のプログラムについては実施形態１の図２と同様であるので、説明を省略する。また、その他のデータについても、実施形態１の図２と同様であるので、説明を省略する。
＜実施形態１  作用：ハードウェア的構成（携帯型電子機器）＞
【０１２９】
図２６に示すように、携帯型電子機器の計算機の構成は、ＣＰＵ２６０１と、不揮発性メモリ２６０２と、主メモリ２６０３と、インターフェース２６０４と、超音波インターフェース２６０５、ディスプレイインターフェース２６０６、スピーカーインターフェース２６０７とから構成されている。不揮発性メモリ２６０２には、第三情報取得プログラム、変換プログラム、超音波信号出力プログラム等のプログラムが格納されている。データとしては、時間情報、超音波信号、復号化情報などがある。これらのプログラムやデータは、主メモリ０３０３の保持領域に読み込まれ、作業領域で実行される。ここで、その他のプログラムについては実施形態１の図２と同様であるので、説明を省略する。
【０１３０】
以下の実施形態６では、携帯型電子機器側から超音波信号を出力し、コンテンツ再生装置側で超音波信号を受信し、復号化情報を取得する構成を採るので、処理の流れは携帯型電子機器、コンテンツ再生装置の順に説明する。
＜実施形態６  処理の流れ  携帯型電子機器＞
【０１３１】
図２７右図に示すように、携帯型電子機器側では、まず第三情報取得プログラムにより第三情報取得ステップを実行する（ステップ２７０１０）。ここで、復号化情報を取得する。
次に変換プログラムにより取得した情報を超音波信号に変換する（ステップ２７０２）。
すなわち、取得した復号化情報（ディジタル情報）をアナログ変換し、アナログの超音波信号を得る。次に超音波信号出力プログラムにより変換して得られた超音波信号をコンテンツ再生装置側に対して発出する（ステップ２７０３）。
＜実施形態６  処理の流れ  コンテンツ再生装置＞
【０１３２】
図２７左図に示すように、このようなコンテンツ再生装置の計算機の動作は、超音波信号受信プログラムにより超音波信号を受信する（ステップ２７０４、２７０５）。次に第二情報取得ステップにより受信した超音波信号を情報に復号化して復号化情報を取得する（ステップ２７０６）。次に超音波信号再生制御プログラムにより取得した復号化情報に基づいて直接又は間接に超音波信号再生部を制御する（ステップ２７０７）。次に超音波信号再生プログラムにより超音波信号発生情報に基づいて超音波信号を再生する超音波信号再生ステップを実行する（ステップ２７０８）。
【０１３３】
超音波信号再生制御ステップ２７０７の制御により、超音波信号再生プログラムを制御し、スピーカーインターフェース２５０７を介して携帯型電子機器２４１０に対する超音波信号の発出を調整する。
【０１３４】
このように、実施形態６によれば、実施形態１から５の効果に加えて、双方向の超音波信号の発出が可能となる。
＜実施形態７＞
＜概要＞
【０１３５】
実施形態７は、実施形態１から実施形態６のいずれかを基本として、一部に特徴を有する情報発出システムである。
＜実施形態７  携帯型電子機器＝バーコードリーダ＞
【０１３６】
図２８は実施形態７の超音波を用いた情報発出システムにおける携帯型電子機器がバーコードリーダの一例を示す図である。
【０１３７】
実施形態７の情報発出システムは、コンテンツ再生装置２８００と携帯型電子機器がバーコードリーダ２８０１の例を示している。バーコードリーダ２８０１には、超音波マイクと超音波スピーカーが備えられており、コンテンツ再生装置２８００とバーコードリーダ２８０１間で双方向の超音波信号のやり取りができる。バーコード情報としては、図２９（Ａ）に示すような一次元バーコード情報、（Ｂ）に示すような二次元バーコード情報（ＱＲコード（登録商標）、データコード等）、（Ｃ）に示すようなＰＤＦ４１７などが利用できる。また、図３０に示すような携帯端末のバーコード読み取り機能も利用できる。この例では、第一にバーコードを読もうとするがバーコードの読み取りに失敗した場合に超音波の読み取りを実行するように構成される。なお、バーコードリーダは携帯型でなくてもよい。
【０１３８】
このように、実施形態１〜７によれば、テレビ放送やラジオ放送などの音声を含むコンテンツの提供に重畳して、クーポン等を構成するための情報を超音波により送出するシステムにおいて、クーポン情報の受信時が、番組放送時か録画された放送の再生時かの判別可能な超音波を用いた情報発出システムを提供できる。これによって録画された番組でコマーシャルの早送り等をしていない視聴スタイルの視聴者に対してのみクーポンを付与するような選別性のあるクーポン等付与が可能となる。
【図１】
2018182585.tif 000003
【図２】
2018182585.tif 000004
【図３】
2018182585.tif 000005
【図４】
2018182585.tif 000006
【図５】
2018182585.tif 000007
【図６】
2018182585.tif 000008
【図７】
2018182585.tif 000009
【図８】
2018182585.tif 000010
【図９】
2018182585.tif 000011
【図１０】
2018182585.tif 000012
【図１１】
2018182585.tif 000013
【図１２】
2018182585.tif 000014
【図１３】
2018182585.tif 000015
【図１４】
2018182585.tif 000016
【図１５】
2018182585.tif 000017
【図１６】
2018182585.tif 000018
【図１７】
2018182585.tif 000019
【図１８】
2018182585.tif 000020
【図１９】
2018182585.tif 000021
【図２０】
2018182585.tif 000022
【図２１】
2018182585.tif 000023
【図２２】
2018182585.tif 000024
【図２３】
2018182585.tif 000025
【図２４】
2018182585.tif 000026
【図２５】
2018182585.tif 000027
【図２６】
2018182585.tif 000028
【図２７】
2018182585.tif 000029
【図２８】
2018182585.tif 000030
【図２９】
2018182585.tif 000031
【図３０】
2018182585.tif 000032